(57)【要約】【課題】内容物を出し入れし易く、しかも防犯上、水引線条を見せ環として見立てて、畳み紙を一見ループ状の水引線条で嵌めた形態を呈する慶弔用包装紙の提供。【解決手段】慶弔用包装紙１０は、畳み紙Ｐの中に内容物を差し入れて水引帯２０を以って畳み紙Ｐを開き止め可能である。畳み紙Ｐは、背面紙部１、右側正面紙部２、左側正面紙部３、上側突片部４、及び下側突片部５を有する。両正面紙部２，３は観音開き可能であって折り込み閉じ状態では互いに重なる領域を有する。水引帯２０は、両正面部２，３と背面紙部１の外面に添接して周回すると共に、背面紙部１の外面側で途切れて成る扁平開ループ状である。背面紙部には相近接して第１のスリット１ａと第２のスリット１ｂが形成されている。第１のスリット１ａは水引帯２０の一端末２０ａが挿抜可能である。第２のスリット１ｂには他端末２０ｂが差し込まれて押さえ紙１ｃで固定されている。【選択図】　　　図５
2004026162.tif 000002
【特許請求の範囲】
【請求項１】
畳み紙の中に内容物を差し入れて水引線条を以って前記畳み紙を開き止め可能な慶弔用包装紙において、
前記畳み紙は、背面紙部と、この背面紙部の右側に右側谷折り線を介して前方に折り込んだ右側正面紙部と、前記背面紙部の左側に左側谷折り線を介して前方に折り込んだ左側正面紙部と、前記背面紙部の上側に上側谷折り線を介して前方に折り込んで前記背面紙部と前記両正面紙部との間に挟まれた上側突片部と、前記背面紙部の下側に下側谷折り線を介して前方に折り込んで前記背面紙部と前記両正面紙部との間に挟まれた下側突片部とを有し、前記右側正面紙部と前記左側正面紙部とは観音開き可能であって折り込み閉じ状態では互いに重なる領域を有し、前記水引線条は、前記両正面紙部と前記背面紙部の外面に添接して前記畳み紙を周回すると共に、前記背面紙部の外面側で途切れて成る扁平開ループ状であり、前記水引線条の一端末は前記背面紙部に形成された第１のスリットに挿抜可能であると共に、前記水引線条の他端末は前記背面紙部に固定されていることを特徴とする慶弔用包装紙。
【請求項２】
請求項１において、前記第１のスリットの位置と前記他端末の固定位置とは近接していることを特徴とする慶弔用包装紙。
【請求項３】
請求項１又は請求項２において、前記水引線条は前記一端末に引き抜き用摘み部を具備することを特徴とする慶弔用包装紙。
【請求項４】
請求項１乃至請求項３のいずれか一項において、前記一端末は先細形状であることを特徴とする慶弔用包装紙。
【請求項５】
請求項１乃至請求項４のいずれか一項において、前記他端末は前記背面紙部に形成された第２のスリットに外面側から内面側へ差し込まれてその内面側で貼着されていることを特徴とする慶弔用包装紙。
【請求項６】
畳み紙の中に内容物を差し入れて水引線条を以って前記畳み紙を開き止め可能な慶弔用包装紙において、
前記畳み紙は、背面紙部と、この背面紙部の右側に右側谷折り線を介して前方に折り込んだ右側正面紙部と、前記背面紙部の左側に左側谷折り線を介して前方に折り込んだ左側正面紙部と、前記背面紙部の上側に上側谷折り線を介して前方に折り込んで前記背面紙部と前記両正面紙部との間に挟まれた上側突片部と、前記背面紙部の下側に下側谷折り線を介して前方に折り込んで前記背面紙部と前記両正面紙部との間に挟まれた下側突片部とを有し、前記右側正面紙部と前記左側正面紙部とは観音開き可能であって折り込み閉じ状態では互いに重なる領域を有し、前記水引線条は、前記両正面紙部と前記背面紙部の外面に添接して前記畳み紙を周回すると共に、前記背面紙部の外面側で途切れて成る扁平開ループ状であり、前記水引線条の一端末は前記背面紙部に形成された第１のスリットに挿抜可能であると共に、前記水引線条の他端末は前記背面紙部に形成された第２のスリットに挿抜可能であることを特徴とする慶弔用包装紙。
【請求項７】
請求項６において、前記第１のスリットの位置と前記第２のスリットの位置とは近接していることを特徴とする慶弔用包装紙。
【請求項８】
請求項６又は請求項７において、前記水引線条は前記一端末及び前記他端末にそれぞれ引き抜き用摘み部を具備することを特徴とする慶弔用包装紙。
【請求項９】
請求項６乃至請求項７のいずれか一項において、前記一端末及び前記他端末はそれぞれ先細形状であることを特徴とする慶弔用包装紙。
【請求項１０】
水引線条を有し、畳み紙の中に内容物を差し入れて開き止め可能な慶弔用包装紙であって、
前記畳み紙は、背面紙部と、この背面紙部の右側に右側谷折り線を介して前方に折り込んだ右側正面紙部と、前記背面紙部の左側に左側谷折り線を介して前方に折り込んだ左側正面紙部と、前記背面紙部の上側に上側谷折り線を介して前方に折り込んで前記背面紙部と前記両正面紙部との間に挟まれた上側突片部と、前記背面紙部の下側に下側谷折り線を介して前方に折り込んで前記背面紙部と前記両正面紙部との間に挟まれた下側突片部とを有し、前記右側正面紙部と前記左側正面紙部とは観音開き可能であって折り込み閉じ状態では互いに重なる領域を有し、前記両正面紙部のうち一方の前記正面紙部は、その谷折り線と下辺との成す第１の隅部に臨む斜辺に沿って形成されており、他方の前記正面紙部の谷折り線と下辺との成す第２の隅部が挿抜可能な斜向スリットを有し、前記他方の正面紙部は、その下辺に形成されており、前記第２の隅部の前記斜向スリットへの差し込み深さを限定するための切欠きを有し、前記水引線条は、前記両正面紙部と前記背面紙部の外面に添接して前記畳み紙を周回すると共に、前記正面紙部の外面側で途切れて成る扁平開ループ状であり、前記水引線条の一端末側は前記右側正面紙部に固定されていると共に、前記水引線条の他端末側は前記左側正面紙部に固定されており、前記両正面紙部の折り込み状態では前記一端側と前記他端末側とが一直線に揃っていることを特徴とする慶弔用包装紙。
【請求項１１】
請求項１０において、前記切欠きは略三角形状であることを特徴とする慶弔用包装紙。
【請求項１２】
請求項１０又は請求項１１において、前記斜向スリットの前記第１の隅部側の縁に沿って補強紙が貼着されていることを特徴とする慶弔用包装紙。
【請求項１３】
請求項１２において、前記補強紙は帯状紙であることを特徴とする慶弔用包装紙。
【請求項１４】
請求項１３において、前記補強紙の下端部を前記一方の正面紙部の内面に折り返して貼着して成ることを特徴とする慶弔用包装紙。
【発明の詳細な説明】
【０００１】
【発明の属する技術分野】
本発明は、畳み紙を利用した祝儀用又は不祝儀用の慶弔用包装紙に関する。
【０００２】
【従来の技術】
従来、この種の慶弔用包装紙としては、１枚の紙を横に三つ折りしたのち縦に三つ折りした畳紙（たとうがみ）を基本とし、畳紙の中に台紙と中袋を収め、また畳紙の正面右上に熨斗（のし）等を貼着し、畳紙の周りに扁平に折り畳んだ水引帯環を嵌めて開き止めするようになっている。紙幣等を入れる場合は、ある程度の剛さのある水引帯環を畳紙から徐々に摺り動かして引き抜き、畳紙を展開して中袋を取り出し、その中に紙幣等を入れた後、中袋を畳紙内に挟み込んでから、畳紙を水引帯環に嵌めてその中程に位置させるものである。また、紙幣等を取り出す場合には上記とは逆の手順で行う。
【０００３】
【発明が解決しようとする課題】
しかしながら、従来の慶弔用包装紙にあっては、次のような問題点があった。
【０００４】
▲１▼　慶弔用包装紙の機能として高額紙幣などを保管収納する必要性から、例えば帳場泥棒などに対する防犯上、紙幣等を出し入れし難くする意図においても、わざわざ折り癖のある水引帯環に畳紙を嵌めるものであるが、記帳担当者等にとっては、水引帯環を畳紙からの取り外した後、再度取り付けするのに面倒な手間を強いる。元々、水引帯環の寸法と畳紙の寸法とを緩みがない程に決めてあるから、原理的に水引帯環の嵌め外しは容易ではないからである。
【０００５】
▲２▼　慶弔袋を利用する場合、袋口の開閉操作は非常に手軽なものとなるが、水引帯環が付帯していないため、却って内容物の抜き取り易さが露顕する結果、防犯性が疎かになる。また、慣習上、水引付き畳紙を用いるのを正式作法としているため、簡易な慶弔袋を用いることのできない場合も多い。
【０００６】
そこで、上記問題点に鑑み、本発明の課題は、内容物を出し入れし易く、しかも防犯上、水引線条を見せ環として見立てて、畳み紙を一見ループ状の水引線条で嵌めた形態を呈する慶弔用包装紙を提供することにある。
【０００７】
【解決を解決するための手段】
上記課題を解決するため、本発明の第１の手段は、畳み紙の中に内容物を差し入れて水引線条を以って畳み紙を開き止め可能な慶弔用包装紙において、畳み紙は、背面紙部と、この背面紙部の右側に右側谷折り線を介して前方に折り込んだ右側正面紙部と、背面紙部の左側に左側谷折り線を介して前方に折り込んだ左側正面紙部と、背面紙部の上側に上側谷折り線を介して前方に折り込んで背面紙部と両正面紙部との間に挟まれた上側突片部と、背面紙部の下側に下側谷折り線を介して前方に折り込んで背面紙部と両正面紙部との間に挟まれた下側突片部とを有する。右側正面紙部と左側正面紙部とは観音開き可能であって折り込み閉じ状態では互いに重なる領域を有する。水引線条は、両正面紙部と背面紙部の外面に添接して畳み紙を周回すると共に、背面紙部の外面側で途切れて成る扁平開ループ状である。水引線条の一端末は背面紙部に形成された第１のスリットに挿抜可能であると共に、水引線条の他端末は背面紙部に固定されている。
【０００８】
斯かる構成の慶弔用包装紙において、紙葉類を畳み紙内に入れる場合は、畳み紙を裏返して水引線条の一端末を第１のスリットから引き抜くことにより閂が外れた状態となると同時に、畳み紙に対する結束状態が解けるので、両正面紙部を観音開きして紙葉類を背面紙部と両突片部との間に差し入れてから、両正面紙部を折り込んで水引線条の一端末を第１のスリットに差し込み、結束状態とする。逆に、紙葉類を畳み紙内から取り出す場合は、畳み紙を裏返して水引線条の一端末を第１のスリットから引き抜き、紙葉類を取り出し、両正面紙部を折り込んで水引線条の一端末を第１のスリットに差し込み、結束状態とする。
【０００９】
このように、水引線条の一端末を第１のスリットに差し込むことにより畳み紙を開き止めでき、水引線条の一端末を第１のスリットから抜き出すことにより畳み紙を開くことができるので、紙葉類の出し入れ操作が従前に比して非常に簡便となる。また、水引線条が両正面紙部の外面側に切り目なく連続的に周回し、正面視では結束状態として視認できるため、通例の水引締め環として見間違い得るので、不心得者に対しては、内容物の抜き取りに要する手間を印象付け、それ故、防犯性を担保できる。
【００１０】
第１のスリットの位置と他端末の固定位置とは近接していることが望ましい。また、水引線条は、一端末に引き抜き用摘み部を具備することが望ましい。一端末付近の水引線条を摘まみ上げるよりも、引き抜き用摘み部を摘まんで引っ張ることにより第１の切り込みスリットから一端末を楽に引き抜くことができる。また、水引線条の張り加減を強めにできるため、内容物の抜き取り難さの強い印象を与えることができる。
【００１１】
また、一端末は先細形状であることが望ましい。第１のスリットに一端末を差し込み易くなり、スリット幅も僅少にできる。
【００１２】
更に、他端末は背面紙部に形成された第２のスリットに外面側から内面側へ差し込まれてその内面側で貼着されている。他端末の固定部が露にならないため、慶弔用包装紙の裏面の体裁を高めることができる。
【００１３】
本発明の第２の手段は、上記他端末は背面紙部に固定されているのではなく、背面紙部に形成された第２のスリットに挿抜可能となっている。斯かる構成では、他端末の方を第２のスリットに差し込むことでも畳み紙を開き止めでき、また他端末の方を第２のスリットから抜き出すことでも畳み紙を開くことができるので、挿抜操作できる端末の間違いが起こらず、紛らわしさを無くすことができる。斯かる構成でも、水引線条は、他端末に引き抜き用摘み部を具備することが望ましい。また、他端末は先細状であることが望ましい。
【００１４】
本発明の第３の手段は、水引線条を有し、畳み紙の中に内容物を差し入れて開き止め可能な慶弔用包装紙であって、畳み紙は、背面紙部と、この背面紙部の右側に右側谷折り線を介して前方に折り込んだ右側正面紙部と、背面紙部の左側に左側谷折り線を介して前方に折り込んだ左側正面紙部と、背面紙部の上側に上側谷折り線を介して前方に折り込んで背面紙部と両正面紙部との間に挟まれた上側突片部と、背面紙部の下側に下側谷折り線を介して前方に折り込んで背面紙部と両正面紙部との間に挟まれた下側突片部とを有し、右側正面紙部と左側正面紙部とは観音開き可能であって折り込み閉じ状態では互いに重なる領域を有し、両正面紙部のうち一方の正面紙部は、その谷折り線と下辺との成す第１の隅部に臨む斜辺に沿って形成されており、他方の正面紙部の谷折り線と下辺との成す第２の隅部が挿抜可能な斜向スリットを有し、他方の正面紙部は、その下辺に形成されており、第２の隅部の斜向スリットへの差し込み深さを限定するための切欠きを有し、水引線条は、両正面紙部と背面紙部の外面に添接して前記畳み紙を周回すると共に、正面紙部の外面側で途切れて成る扁平開ループ状であり、水引線条の一端末側は右側正面紙部に固定されていると共に、水引線条の他端末側は左側正面紙部に固定されており、両正面紙部の折り込み状態では一端側と他端末側とが一直線に揃っている。
【００１５】
この慶弔用包装紙において、紙葉類を畳み紙内に入れる場合は、第２の隅部を第１の隅部側の斜向スリットから引き抜くことにより、両正面紙部を観音開きでき、紙葉類を背面紙部と両突片部との間に差し入れてから、第２の隅部を第１の隅部側の斜向スリットに差し込む。逆に、紙葉類を畳み紙内から取り出す場合は、第２の隅部を第１の隅部側の斜向スリットから引き抜くことにより、両正面紙部を観音開きでき、紙葉類を取り出し、第２の隅部を第１の隅部側の斜向リットに差し込む。
【００１６】
このように、第２の隅部の斜向スリットへの挿抜だけで、畳み紙を開閉することができるので、紙葉類を出し入れが従前に比して非常に簡便となる。また、水引線条の一端末側は右側正面紙部に固定されていると共に、水引線条の他端末側は左側正面紙部に固定されており、両正面紙部の折り込み状態では一端側と他端末側とが一直線に揃っているため、水引線条が正面視では正面紙部の外面側に切り目なく連続的に周回している如き印象を与えるため、水引締め環として見間違い得ることになるので、防犯性を担保できる。
【００１７】
切欠きとしては略三角形状とすることができる。切欠きの一辺が差し込み案内辺となり、他辺が差し込みストッパー辺となる。また、斜向スリットの第１の隅部側の縁に沿って補強紙が貼着されている。斜向スリットが相対的に見え難くなり、正面の体裁を向上できる。補強紙は帯状紙とすることができるが、補強紙の下端部を一方の正面紙部の内面に折り返して貼着して成る場合は、斜向スリット下端の破れを防止できる。
【００１８】
【発明の実施の形態】
次に、本発明の実施形態を添付図面に基づいて説明する。図１は本発明の第１実施例に係る慶弔用包装紙を示す正面図、図２は同包装紙の背面図、図３は同包装紙を展開した状態を示す正面図、図４は同包装紙を展開した状態を示す背面図、図５は同包装紙における両正面紙部を観音開きした状態を示す正面図、図６は同包装紙における水引帯の一端末をスリットから外した状態を示す背面側斜視図である。なお、二点鎖線は谷折り線を示し、一点鎖線は山折り線を示す。
【００１９】
本例の慶弔用包装紙１０は、図３及び図４に示す如く、１枚の畳み紙Ｐの中に内容物を差し入れて水引帯２０を以って畳み紙Ｐを開き止め可能であって、畳み紙Ｐは、央部の背面紙部１と、この背面紙部１の右側に右側谷折り線ＬＲを介して前方に折り込んだ右側正面紙部２と、背面紙部１の左側に左側谷折り線ＬＬを介して前方に折り込んだ左側正面紙部３と、背面紙部１の上側に上側谷折り線ＬＵを介して前方に折り込んで背面紙部１と両正面紙部２，３との間に挟まれた上側突片部４と、背面紙部１の下側に下側谷折り線ＬＤを介して前方に折り込んで背面紙部１と両正面紙部２，３との間に挟まれた下側突片部５とを有する。図１に示す如く、右側正面紙部２と左側正面紙部３とは観音開き可能であって折り込み閉じ状態では互いに重なる領域を有する。右側正面紙部２の右上には熨斗（のし）２ａが貼着されている。また、右側正面紙部２の内面には右側正面紙部２の縁からはみ出た脇紙２ｂが貼着されている。水引帯２０は、その中程に水引飾り２１を保持し、両正面部２，３と背面紙部１の外面に添接して畳み紙Ｐを周回すると共に、背面紙部１の外面側で途切れて成る扁平開ループ状である。背面紙部の略中央には相近接して第１のスリット１ａと第２のスリット１ｂが形成されている。第１のスリット１ａは水引帯２０の一端末２０ａが挿抜可能である。第２のスリット１ｂには水引帯２０の他端末２０ｂを差し込んで押さえ紙１ｃで固定されている。水引帯２０の一端末２０ａは先細形状に形成されている。また、一端末２０ａに引き抜き用水引部２０ｃが巻き紙２０ｄで接着固定されている。
【００２０】
本例の慶弔用包装紙１０において、紙葉類を畳み紙Ｐ内に入れる場合は、図２に示す如く畳み紙Ｐを裏返して水引帯２０の引き抜き用水引部２０ｃを摘まんで一端末２０ａを第１のスリット１ａから引き抜くことにより、図６に示す如く閂が外れた状態となると同時に、畳み紙Ｐに対する結束状態が解けるので、図５に示す如く両正面紙部２，３を観音開きして紙葉類を背面紙部１と両突片部４，５との間に差し入れてから、両正面紙部２，３を折り込んで水引帯２０の一端末２０ａを第１のスリット１ａに差し込み、結束状態とする。逆に、紙葉類を畳み紙Ｐ内から取り出す場合は、畳み紙Ｐを裏返して水引帯２０の引き抜き用水引部２０ｃを摘まんで一端末２０ａを第１のスリット１ａから引き抜き、紙葉類を取り出し、両正面紙部２，３を折り込んで水引帯２０の一端末２０ａを第１のスリット１ａに差し込み、結束状態とする。
【００２１】
このように、水引帯２０の一端末２０ａを第１のスリット１ａに差し込むことにより畳み紙Ｐを開き止めでき、水引帯２０の一端末２０ａを第１のスリット１ａから抜き出すことにより畳み紙Ｐを開くことができるので、紙葉類の出し入れ操作が従前に比して非常に簡便となる。また、水引帯２０が両正面紙部２，３の外面側に切り目なく連続的に周回し、正面視では結束状態として視認できるため、通例の水引締め環として見間違い得るので、不心得者に対しては、内容物の抜き取りに要する手間を印象付け、それ故、防犯性を担保できる。
【００２２】
水引帯２０の一端末２０ａは先細形状であるので、第１のスリット１ａのスリット幅が切り込みでも、挿入が容易である。また、引き抜き用水引部２０ｃが備わっているため、第１のスリット１ａから一端末２０ａを楽に引き抜くことができ、しかも、水引帯２０の張り加減を強めにできるため、内容物の抜き取り難さの強い印象を与えることができる。
【００２３】
図７は本発明の第２実施例に係る慶弔用包装紙を示す背面図、図８は同包装紙における畳み紙を展開した状態を示す正面図、図９は同包装紙における畳み紙を展開した状態を示す背面図、図１０は同包装紙における両正面紙部を観音開きした状態を示す正面図、図１１は同包装紙における水引帯の両端末をスリットから外した状態を示す背面側斜視図である。なお、図７乃至図１１において、図１乃至図６に示す部分と同一部分には同一参照符号を付し、その説明は省略する。
【００２４】
本例の慶弔用包装紙３０においては、水引帯２０の他端末２０ｂは背面紙部１に固定されているのではなく、図７及び図１１に示す如く、第２のスリット１ｂに挿抜可能となっている。水引帯２０の他端末２０ｂも先細形状であって、引き抜き用水引部２０ｅが巻き紙２０ｆで接着固定されている。斯かる構成では、他端末２０ｂを第２のスリット１ｂに差し込むことでも畳み紙Ｐを開き止めでき、また他端末２０ｂを第２のスリット１ｂから抜き出すことでも畳み紙Ｐを開くことができるので、挿抜操作できる端末の間違いが起こらず、紛らわしさを無くすことができる。
【００２５】
図１２は本発明の第３実施例に係る慶弔用包装紙を示す正面図、図１３は同包装紙を展開した状態を示す正面図、図１４は同包装紙を展開した状態を示す背面図、図１５は同包装紙における斜向スリットに第２の隅部を差し込む状態を示す正面図、図１６は同包装紙における両正面紙部を観音開きした状態を示す正面図である。
【００２６】
本例の慶弔用包装紙４０は、水引線５０を有し、畳み紙Ｐ′の中に内容物を差し入れて開き止め可能である。畳み紙Ｐ′は、背面紙部１と、この背面紙部１の右側に右側谷折り線ＬＲを介して前方に折り込んだ右側正面紙部２と、背面紙部１の左側に左側谷折り線ＬＬを介して前方に折り込んだ左側正面紙部３と、背面紙部１の上側に上側谷折り線ＬＵを介して前方に折り込んで背面紙部１と両正面紙部２，３との間に挟まれた上側突片部４と、背面紙部１の下側に下側谷折り線ＬＤを介して前方に折り込んで背面紙部１と両正面紙部２，３との間に挟まれた下側突片部５とを有し、図１２に示す如く右側正面紙部２と左側正面紙部３は観音開き可能であって折り込み閉じ状態では互いに重なる領域を有する。本例では、左側正面紙部３は、その谷折り線ＬＬと下辺３ａとの成す第１の隅部Ｃ１に臨む斜辺に沿って斜向スリット３ｂが形成されている。この斜向スリット３ｂには右側正面紙部２の谷折り線ＬＲと下辺２ｃとの成す第２の隅部Ｃ２が挿抜可能である。右側正面紙部２の下辺２ｃには第２の隅部Ｃ２の斜向スリット３ｂへの差し込み深さを限定するための三角形状の切欠き２ｄが形成されている。斜向スリット３ｂの第１の隅部Ｃ１側の縁に沿って帯状補強紙３ｃが貼着されている。この帯状補強紙３ｃの下端部は左側正面紙部３の内面に折り返して貼着されている。
【００２７】
水引線５０は、帯紙５１の上に貼り付けられており、両正面紙部２，３と背面紙部１の外面に添接して周回する扁平開ループ状である。水引線５０の一端末側５０ａは右側正面紙部２の内面に折り返してに固定されていると共に、水引線５０の他端末側５０ｂは左側正面紙部３に固定されており、両正面紙部２，３の折り込み状態では一端側５０ａと他端末側５０ｂとが一直線に揃っている。
【００２８】
紙葉類を畳み紙Ｐ′内に入れる場合は、図１５に示す如く第２の隅部Ｃ２を斜向スリット３ｂから引き抜くことにより、図１６に示す如く両正面紙部２，３を観音開きでき、紙葉類を背面紙部１と両突片部４，５との間に差し入れてから、第２の隅部Ｃ２を斜向スリット３ｂに差し込む。逆に、紙葉類を畳み紙Ｐ′内から取り出す場合は、第２の隅部Ｃ２を斜向スリット３ｂから引き抜くことにより、両正面紙部２，３を観音開きでき、紙葉類を取り出し、第２の隅部Ｃ２を斜向リット３ｂに差し込む。このように、第２の隅部Ｃ２の斜向スリット３ｂへの挿抜だけで、畳み紙Ｐ′を開閉することができるので、紙葉類を出し入れが従前に比して非常に簡便となる。また、水引線５０の一端末側５０ａは右側正面紙部２に固定されていると共に、その他端末側５０ｂは左側正面紙部３に固定されており、図１２に示す如く両正面紙部２，３の折り込み状態では一端側５０ａと他端末側５０ｂとが一直線に揃っているため、水引線５０が正面視では正面紙部２，３の外面側に切り目なく連続的に周回している如き印象を与えるため、水引締め環として見間違い得ることになるので、防犯性を担保できる。
【００２９】
また、切欠き２ｄは略三角形状であり、その一辺が差し込み案内辺となり、他辺が差し込みストッパー辺となる。また、斜向スリット３ｂに沿って帯状補強紙３ｃが貼着されているため、斜向スリット３ｂが相対的に見え難くなり、正面の体裁を向上できる。更に、帯状補強紙３ｃの下端部が左側正面紙部３の内面に折り返して貼着されているため、斜向スリット３ｂの下端側の破れを防止できる。
【００３０】
【発明の効果】
以上説明したように、本発明は次の効果を奏する。
【００３１】
（１）　水引線条の一端末を第１のスリットに差し込むことにより畳み紙を開き止めでき、水引線条の一端末を第１のスリットから抜き出すことにより畳み紙を開くことができるので、紙葉類の出し入れ操作が従前に比して非常に簡便となる。また、水引線条が両正面紙部の外面側に切り目なく連続的に周回し、正面視では結束状態として視認できるため、通例の水引締め環として見間違い得るので、不心得者に対しては、内容物の抜き取りに要する手間を印象付け、それ故、防犯性を担保できる。
【００３２】
（２）　第２の隅部の斜向スリットへの挿抜だけで、畳み紙を開閉することができるので、紙葉類を出し入れが従前に比して非常に簡便となる。また、水引線条の一端末側は右側正面紙部に固定されていると共に、水引線条の他端末側は左側正面紙部に固定されており、両正面紙部の折り込み状態では一端側と他端末側とが一直線に揃っているため、水引線条が正面視では正面紙部の外面側に切り目なく連続的に周回している如き印象を与えるため、水引締め環として見間違い得ることになるので、防犯性を担保できる。
【図面の簡単な説明】
【図１】本発明の第１実施例に係る慶弔用包装紙を示す正面図である。
【図２】同包装紙の背面図である。
【図３】同包装紙を展開した状態を示す正面図である。
【図４】同包装紙を展開した状態を示す背面図である。
【図５】同包装紙における両正面紙部を観音開きした状態を示す正面図である。
【図６】同包装紙における水引帯の一端末をスリットから外した状態を示す背面側斜視図である。
【図７】本発明の第２実施例に係る慶弔用包装紙を示す背面図である。
【図８】同包装紙における畳み紙を展開した状態を示す正面図である。
【図９】同包装紙における畳み紙を展開した状態を示す背面図である。
【図１０】同包装紙における両正面紙部を観音開きした状態を示す正面図である。
【図１１】同包装紙における水引帯の両端末をスリットから外した状態を示す背面側斜視図である。
【図１２】本発明の第３実施例に係る慶弔用包装紙を示す正面図である。
【図１３】同包装紙を展開した状態を示す正面図である。
【図１４】同包装紙を展開した状態を示す背面図である。
【図１５】同包装紙における斜向スリットに第２の隅部を差し込む状態を示す正面図である。
【図１６】同包装紙における両正面紙部を観音開きした状態を示す正面図である。
【符号の説明】
１…背面紙部
１ａ…第１のスリット
１ｂ…第２のスリット
１ｃ…押さえ紙
２…右側正面紙部
２ａ…熨斗（のし）
２ｂ…脇紙
２ｃ，３ａ…下辺
２ｄ…切欠き
３…左側正面紙部
３ｂ…斜向スリット
３ｃ…帯状補強紙
４…上側突片部
５…下側突片部
１０，３０，４０…慶弔用包装紙
２０…水引帯
２０ａ…一端末
２０ｂ…他端末
２０ｃ，２０ｅ…引き抜き用水引部
２０ｄ，２０ｆ…巻き紙
２１…水引飾り
５０…水引線
５０ａ…一端末側
５０ｂ…他端末側
５１…帯紙
Ｐ，Ｐ′…畳み紙
ＬＲ…右側谷折り線
ＬＬ…左側谷折り線
ＬＵ…上側谷折り線
ＬＤ…下側谷折り線
Ｃ１…第１の隅部
Ｃ２…第２の隅部
【図１】
2004026162.tif 000003
【図２】
2004026162.tif 000004
【図３】
2004026162.tif 000005
【図４】
2004026162.tif 000006
【図５】
2004026162.tif 000007
【図６】
2004026162.tif 000008
【図７】
2004026162.tif 000009
【図８】
2004026162.tif 000010
【図９】
2004026162.tif 000011
【図１０】
2004026162.tif 000012
【図１１】
2004026162.tif 000013
【図１２】
2004026162.tif 000014
【図１３】
2004026162.tif 000015
【図１４】
2004026162.tif 000016
【図１５】
2004026162.tif 000017
【図１６】
2004026162.tif 000018